(57)【要約】【課題】患者の薬歴の確認を容易にするとともに、薬剤師等に対して医薬品に関する情報を提供することにより、服薬指導活動を支援する。【解決手段】ＣＰＵ５１は、ダウンロード処理において、調剤薬局装置１０からの薬歴データのダウンロードを待ち受ける。調剤薬局装置１０から通信装置５４を介して受付情報ファイル５５１に対応するデータを受信すると、受信したデータを復号化し、受付情報ファイル５５１に上書きする。そして、各マスタファイル５５２〜５６１に対応するデータを受信すると、特定フラグが「１」に設定されている項目のデータを抽出して復号化を行い、対象マスタファイル５５２〜５６１に上書きする。【選択図】　　　　　図１３
2004139423.tif 000002
【特許請求の範囲】
【請求項１】
患者への投薬履歴を複数項目からなる薬歴データとして記憶する薬歴データ管理装置から送信された複数の患者の薬歴データを受信する受信手段と、
前記受信手段により受信された薬歴データを患者毎に記憶する記憶手段と、
前記記憶手段により記憶された複数の患者のうち、所望の患者を指定する指定手段と、
前記指定手段により指定された患者に対応する薬歴データを前記記憶手段から取得する取得手段と、
前記取得手段により取得された薬歴データを出力する出力手段と、
を備えることを特徴とする薬歴データ処理装置。
【請求項２】
前記薬歴データは、医薬品の添付文書データ、医薬品の相互作用に関するデータ、医薬品の副作用に関する複数のデータを含むことを特徴とする請求項１に記載の薬歴データ処理装置。
【請求項３】
前記薬歴データ管理装置から送信される薬歴データは、暗号化されたデータであり、前記受信手段により受信された薬歴データを復号化する復号化手段を備えることを特徴とする請求項１に記載の薬歴データ処理装置。
【請求項４】
前記受信手段により受信された薬歴データから、特定項目の薬歴データを抽出する抽出手段を備え、
前記記憶手段は、前記抽出手段により抽出された特定項目の薬歴データを記憶することを特徴とする請求項１に記載の薬歴データ処理装置。
【請求項５】
前記薬歴データ管理装置は、特定項目の薬歴データを抽出して薬歴データ処理装置に送信し、
前記受信手段は、前記薬歴データ管理装置から特定項目の薬歴データを受信することを特徴とする請求項１に記載の薬歴データ処理装置。
【請求項６】
前記薬歴データ管理装置に記憶された薬歴データは所定期間における患者の薬歴データであり、
前記記憶手段に記憶する薬歴データは、任意に指定された期間に応じた範囲の薬歴データであることを特徴とする請求項１に記載の薬歴データ処理装置。
【請求項７】
操作者の認証情報を入力する入力手段と、
前記入力手段により入力された認証情報により操作者を認証する認証手段と、を備え、
前記取得手段は、前記認証手段により操作者が認証されると、前記指定手段により指定された患者の薬歴データを取得することを特徴とする請求項１に記載の薬歴データ処理装置。
【請求項８】
コンピュータを、
患者への投薬履歴を複数項目からなる薬歴データとして記憶する薬歴データ管理装置から送信された複数の患者の薬歴データを受信する受信手段と、
前記受信手段により受信された薬歴データを患者毎に記憶する記憶手段と、
前記記憶手段により記憶された複数の患者のうち、所望の患者を指定する指定手段と、
前記指定手段により指定された患者に対応する薬歴データを前記記憶手段から取得する取得手段と、
前記取得手段により取得された薬歴データを出力する出力手段として機能させるためのプログラム。
【発明の詳細な説明】
【０００１】
【発明の属する技術分野】
本発明は、患者の薬歴データを処理して出力する薬歴データ処理装置及びプログラムに関する。
【０００２】
【従来の技術】
医療の分野においては、患者への医薬品の投薬履歴（以下、薬歴という。）を記録しておき、薬剤師や医師等が薬歴を参照して患者に服薬指導を行っている。従来、患者の薬歴を管理するサーバを設け、調剤薬局や病院等の医療機関に設置された端末装置から特定の患者の薬歴をサーバに照会することができるシステムが考案されている（例えば、特許文献１参照）。
【０００３】
医薬品は多種類存在し、同じ種類の医薬品であっても製造元が異なるとその薬品名（商品名）も異なるため、医薬品の取り扱いには正確性が要求される。さらに、医薬品に関する説明書として医薬品に添付されている添付文書には、医薬品による副作用や相互作用に関する情報が含まれており、薬剤師や医師にとって参照すべき重要な情報である。
【０００４】
これらの医薬品に関する情報を取得する場合にも、従来は上記端末装置から、医薬品の副作用又は併用する医薬品による相互作用のデータベースを備えたサーバにアクセスして、患者に処方された医薬品に関する情報を検索し、取得していた。
【０００５】
【特許文献１】
特開２００１−３２５３６０号公報（第３−４頁、第１図）
【０００６】
【発明が解決しようとする課題】
しかしながら、上述したシステム構成では、患者の薬歴を照会できるのは、医療機関に設けられた端末装置に限られるため、医療機関の業務が終了後に患者の体調が変化した場合等は、患者の薬歴や調剤した医薬品に関する情報を確認することができなかった。そのため、患者からの問い合わせに対してすぐに回答することができず、服薬指導に支障が生じることとなっていた。
【０００７】
本発明の課題は、患者の薬歴の確認を容易にするとともに、薬剤師等に対して医薬品に関する情報を提供することにより、服薬指導活動を支援することである。
【０００８】
【課題を解決するための手段】
請求項１に記載の発明は、薬歴データ処理装置において、
患者への投薬履歴を複数項目からなる薬歴データとして記憶する薬歴データ管理装置から送信された複数の患者の薬歴データを受信する受信手段と、
前記受信手段により受信された薬歴データを患者毎に記憶する記憶手段と、
前記記憶手段により記憶された複数の患者のうち、所望の患者を指定する指定手段と、
前記指定手段により指定された患者に対応する薬歴データを前記記憶手段から取得する取得手段と、
前記取得手段により取得された薬歴データを出力する出力手段と、
を備えることを特徴としている。
【０００９】
この請求項１に記載の発明によれば、薬歴データ処理装置が、薬歴データ管理装置から受信した薬歴データを患者毎に記憶し、患者が指定されるとその患者に対応する薬歴データを取得して出力するので、薬剤師等の操作者は、所望の患者の薬歴データをすばやくかつ容易に確認することができ、患者に対して適切な服薬指導を行うことが可能となる。
【００１０】
【発明の実施の形態】
以下、図を参照して本発明の実施の形態を詳細に説明する。
本実施の形態では、薬歴データ処理装置を、薬剤師や医師等の操作者が携帯する携帯情報端末（以下、ＰＤＡ；Ｐｅｒｓｏｎａｌ　Ｄｉｇｉｔａｌ　Ａｓｓｉｓｔａｎｔという。）に適用し、薬歴データ管理装置を、調剤薬局に設置される調剤薬局装置に適用した例を説明する。
【００１１】
まず、構成を説明する。
図１に、調剤薬局装置１０の機能的構成を示す。
図１において、調剤薬局装置１０は、ＣＰＵ（Ｃｅｎｔｒａｌ　Ｐｒｏｃｅｓｓｉｎｇ　Ｕｎｉｔ）１１、入力装置１２、表示装置１３、通信装置１４、ＲＡＭ（Ｒａｎｄｏｍ　Ａｃｃｅｓｓ　Ｍｅｍｏｒｙ）１５、記憶装置１６から構成され、各部はバス１８を介して接続されている。
【００１２】
ＣＰＵ１１は、記憶装置１６に格納されているシステムプログラム及び各種処理プログラムの中から指定されたプログラムをＲＡＭ１５に展開し、当該プログラムに従って、調剤薬局装置１０の各部を集中制御する。具体的には、記憶装置１６からダウンロード処理プログラムを読み出して、ダウンロード処理（図１４参照）を実行する。
【００１３】
ＣＰＵ１１は、ダウンロード処理において、薬歴データをＰＤＡ５０にダウンロードするメニューが選択指示されると、操作者の認証情報であるパスワードを入力するための入力画面を表示装置１３に表示させる。入力されたパスワードにより操作者を認証し、操作者が認証されると、ダウンロードする薬歴データの日付範囲を選択するための選択画面を表示させる。日付範囲が選択されると、その範囲内の日付に該当する調剤年月日の受付情報ファイル１６１を検索し、検索された受付情報ファイル１６１から特定フラグが「１」に設定されている特定項目のデータを抽出する。ダウンロード実行の指示が入力されると、抽出した特定項目のデータを所定の暗号化方式で暗号化し、ＰＤＡ５０に送信するよう通信装置１４に指示する。そして、マスタファイル１６２〜１７１に格納されている全てのデータを暗号化し、ＰＤＡ５０に送信するよう通信装置１４に指示する。
【００１４】
入力装置１２は、カーソルキー、数字入力キー及び各種機能キーを備えたキーボードを含み、このキーボードで押下されたキーに対応する押下信号をＣＰＵ１１に出力する。
【００１５】
表示装置１３は、ＣＲＴ（Ｃａｔｈｏｄｅ　Ｒａｙ　Ｔｕｂｅ）やＬＣＤ（Ｌｉｑｕｉｄ　Ｃｒｙｓｔａｌ　Ｄｉｓｐｌａｙ）等による表示ディスプレイを備え、ＣＰＵ１１からの表示指示に基づいて各種表示データを表示する。
【００１６】
通信装置１４は、ネットワーク上の外部機器と通信を行うためのネットワークインターフェイスカード、モデム又はターミナルアダプタ等により構成される。通信装置１４は、ＰＤＡ５０と無線通信を確立し、ＰＤＡ５０に各患者の薬歴データを送信する。
【００１７】
ＲＡＭ１５は、ＣＰＵ１１によって実行される各種プログラムやこれら各種プログラムによって処理されたデータ等を一時的に記憶するワークエリアを形成する。
【００１８】
記憶装置１６は、図示しない記憶媒体を有し、この記憶媒体に、調剤薬局装置１０のシステムプログラム、当該システムプログラムに該当するダウンロード処理プログラム等の各種処理プログラム、当該各種処理プログラムで処理されたデータ等を記憶している。この記憶媒体は、磁気的、光学的、若しくは半導体メモリで構成され、記憶装置１６に固定的に設けられるもの、若しくは着脱自在に装着するものである。
【００１９】
記憶装置１６は、複数項目からなる薬歴データを格納する薬歴データベース１６ａを有する。
薬歴データベース１６ａは、受付情報ファイル１６１、患者マスタファイル１６２、文書マスタファイル１６３、医師マスタファイル１６４、薬品マスタファイル１６５、相互作用マスタファイル１６６、相互作用文書マスタファイル１６７、副作用マスタファイル１６８、副作用頻度マスタファイル１６９、分類マスタファイル１７０、症状マスタファイル１７１から構成される。
【００２０】
以下、各ファイル１６１〜１７１について説明する。
受付情報ファイル１６１は、患者の薬歴に関するデータを格納する。受付情報ファイル１６１は、図２にそのデータ格納例を示すように、調剤を行った調剤年月日１６１ａ、調剤した患者の識別番号（以下、患者ＩＤと記載する。）１６１ｂ、患者が属する医療機関及び診療科を示す医療コード１６１ｃ、同一患者が複数の診療科を受診した場合にその診療科の区分を示す再来区分１６１ｄ、用法が異なる場合の区分、例えば、一日二回または、一日一回服薬するなどの用法の区分を示す剤番号１６１ｅ、患者の担当医の識別番号である医師番号１６１ｆ、患者に調剤した薬品の識別番号である薬品番号１６１ｇ、その薬品番号をコード化した薬品コード１６１ｈ、調剤した薬品の分量（例えば、３錠、５００ｇ、１個等）１６１ｉ、調剤した薬品の剤型（例えば、外用、内用等）を示す剤型コード１６１ｊ、調剤した薬品の服用方法（例えば、内服で食後服用等）のコードである用法コード１６１ｋ、薬品の調剤数量（例えば、７日分等）１６１ｌの各項目データを記憶する。
【００２１】
受付情報ファイル１６１には、項目毎に特定フラグが設けられている。特定フラグは、項目が特定項目である場合には「１」が設定され、特定項目ではない場合には「０」が設定される。
なお、特定フラグは、各マスタファイル１６２〜１７１においても同様に設定されるので、以下に説明する各マスタファイル１６２〜１７１では、特定フラグに関する詳細な説明は省略する。
【００２２】
患者マスタファイル１６２は、患者に関するデータを格納する。患者マスタファイル１６２は、図３にそのデータ格納例を示すように、患者ＩＤ１６２ａ、患者の氏名をカナ表記した患者氏名カナ１６２ｂ、患者の氏名を漢字表記した患者氏名漢字１６２ｃ、患者の生年月日１６２ｄ、患者の性別１６２ｅ、患者の住所１６２ｆ、患者の連絡先電話番号１６２ｇ、患者の最終来局年月日１６２ｈを記憶する。
【００２３】
文書マスタファイル１６３は、医薬品に関する文書データを格納する。文書マスタファイル１６３は、図４にそのデータ格納例を示すように、医薬品に関する文書のコードである文書コード１６３ａ、文書コードに応じた服用方法のテキストデータである用法文書１６３ｂ、医薬品に関する注釈のテキストデータであるコメント１６３ｃを記憶する。
【００２４】
医師マスタファイル１６４は、患者の担当医師に関するデータを格納する。医師マスタファイル１６４は、図５にそのデータ格納例を示すように、医療コード１６４ａ、患者が属する医療機関の正式名称１６４ｂ、医療機関の所在地１６４ｃ、医療機関の電話番号１６４ｄ、患者の担当医師のコードである医師コード１６４ｅ、担当医師の氏名をカナ表記した医師氏名カナ１６４ｆ、担当医師の氏名を漢字表記した医師氏名漢字１６４ｇを記憶する。
【００２５】
薬品マスタファイル１６５は、医薬品に関するデータを格納する。薬品マスタファイル１６５は、図６にそのデータ格納例を示すように、薬品のコードである薬品コード１６５ａ、薬品の薬剤区分１６５ｂ、薬品名（商品名）１６５ｃ、カナ表記による薬品名１６５ｄ、薬品の一般名１６５ｅ、カナ表記による薬品の一般名１６５ｆ、薬の主成分の含有量を示す規格単位１６５ｇ（例えば、ｍｇ、％等）、薬品の単位名１６５ｈ（例えば、国際単位、ブリスター等）、薬品の値段を示す点数１６５ｉ（例えば、１００点等）、薬品を販売している会社名１６５ｊ、医薬品の効果、一般注意事項等のテキストデータである医薬品添付文章１６５ｋを記憶する。また、薬品の画像データ等、他のデータを格納することとしてもよい。
【００２６】
相互作用マスタファイル１６６は、医薬品の相互作用に関するデータを格納する。相互作用マスタファイル１６６は、図７にそのデータ格納例を示すように、相互作用する薬品１のコードである薬品１コード１６６ａ、薬品１と相互作用する薬品２のコードである薬品２コード１６６ｂ、相互作用による人体への危険度１６６ｃ、相互作用が生じる理由のコードである理由コード１６６ｄを記憶する。
なお、相互作用する薬品は２種類に限らず何種類であってもよい。
【００２７】
相互作用文書マスタファイル１６７は、医薬品の相互作用に関する文書のデータを格納する。相互作用文書マスタファイル１６７は、図８にそのデータ格納例を示すように、相互作用の理由コード１６７ａ、相互作用文書のテキストデータである文章１６７ｂを記憶する。
【００２８】
副作用マスタファイル１６８は、医薬品の副作用に関するデータを格納する。副作用マスタファイル１６８は、図９にそのデータ格納例を示すように、副作用のコードである副作用コード１６８ａ、副作用の分類コード１６８ｂ、副作用名１６８ｃを記憶する。
【００２９】
副作用頻度マスタファイル１６９は、医薬品の副作用の頻度に関するデータを格納する。副作用頻度マスタファイル１６９は、図１０にそのデータ格納例を示すように、厚生労働省により定められている薬品に固有の１２桁のコードからなる薬価基準収載区薬品コード１６９ａ、副作用の症状のコードである症状コード１６９ｂ、副作用コード１６９ｃ、その副作用が発生する頻度数１６９ｄ、副作用の分類コード１６９ｅを記憶する。
【００３０】
分類マスタファイル１７０は、副作用の分類に関するデータを格納する。分類マスタファイル１７０は、図１１にそのデータ格納例を示すように、副作用の分類コード１７０ａ、分類名１７０ｂを記憶する。
【００３１】
症状マスタファイル１７１は、医薬品の副作用による症状に関するデータを格納する。症状マスタファイル１７１は、図１２にそのデータ格納例を示すように、副作用による症状のコードである症状コード１７１ａ、その症状に対応する副作用コード１７１ｂ、症状の説明文書のテキストデータである症状１７１ｃを記憶する。
【００３２】
図１３に、本実施の形態におけるＰＤＡ５０の機能的構成を示す。図１３において、ＰＤＡ５０は、ＣＰＵ５１、入力装置５２、表示装置５３、通信装置５４、ＲＡＭ５５、記憶装置５６から構成され、各部はバス５８により接続される。
【００３３】
ＣＰＵ５１は、記憶装置５６に格納されているシステムプログラム及び各種処理プログラムの中から指定されたプログラムをＲＡＭ５５に展開し、当該プログラムに従って、ＰＤＡ５０の各部を集中制御する。具体的には、記憶装置５６から各処理プログラムを読み出して、ダウンロード処理（図１４参照）、薬歴データ出力処理（図１５参照）、薬歴処理（図１７参照）、医薬品情報処理（図２０参照）を実行する。
【００３４】
ＣＰＵ５１は、ダウンロード処理において、調剤薬局装置１０からの薬歴データのダウンロードを待ち受ける。調剤薬局装置１０から通信装置５４を介して受付情報ファイル５５１に対応するデータを受信すると、受信したデータを復号化し、受付情報ファイル５５１に上書きする。そして、各マスタファイル５５２〜５６１に対応するデータを受信すると、特定フラグが「１」に設定されている特定項目のデータを抽出して復号化を行い、対象マスタファイル５５２〜５６１に上書きする。
【００３５】
ＣＰＵ５１は、薬歴データ出力処理において、パスワードを入力するための入力画面を表示装置５３に表示させ、パスワードを入力装置５２から入力されると、入力されたパスワードにより操作者の認証を行う。操作者が認証された場合は、初期のメニュー画面５３１（図１６参照）を表示装置５３に表示させる。このメニュー画面５３１では、ダウンロードした薬歴データを表示する「お持ち帰り薬歴」メニュー、医薬品に関する情報を表示する「医薬品情報」メニュー、医薬品に関する安全情報を表示する「医薬品安全情報」メニュー、ＰＤＡ５０における各種環境設定を行う「ツール」メニューを選択可能に表示させる。
【００３６】
メニュー画面５３１において、「医薬品安全情報」メニューが選択された場合は、通信装置５４に厚生労働省のサーバに接続するよう指示し、接続されたサーバから最新の医薬品情報を取得する。「ツール」メニューが選択された場合は、パスワード、特定フラグなどの設定を行なう各種環境設定処理に移行する。
【００３７】
メニュー画面５３１において、「お持ち帰り薬歴」メニューが選択された場合は、薬歴処理（図１７参照）に移行する。ＣＰＵ５１は、薬歴処理において、所望の患者の薬歴データを検索するメニューを選択するためのお持ち帰り薬歴メニュー画面５３２（図１８（ａ）参照、本実施例では初期のメニューから階層的に下位の各メニューを選択することとする。）を表示装置５３に表示させる。このメニュー画面５３２では、患者の生年月日で検索する「生年月日検索」メニュー、患者カナ名で検索する「患者カナ名検索」メニュー、患者の来局日で検索する「来局日検索」メニュー、患者が服用している医薬品名で検索する「医薬品検索」メニューを選択可能に表示させる。
【００３８】
お持ち帰り薬歴メニュー画面５３２において、「医薬品検索」メニューが選択された場合、ＣＰＵ５１は、検索条件の薬品を選択するための薬品選択画面５３３（図１８（ｂ）参照）を表示装置５３に表示させる。この薬品選択画面５３３において、検索する薬品を入力装置５２から選択指示されると、選択された薬品に対応する受付情報ファイル５５１を検索する。そして、検索された受付情報ファイル５５１の患者ＩＤを元に患者マスタファイル５５２から患者に関するデータ（以下、患者データと記載する。）を取得し、取得した各患者データをリスト表示する患者一覧画面５３４（図１８（ｃ）参照）を表示装置５３に表示させる。
【００３９】
お持ち帰り薬歴メニュー画面５３２において、「生年月日検索」、「患者カナ名検索」、「来局日検索」メニューの何れかが選択された場合、ＣＰＵ５１は、選択されたメニューに応じた検索条件を入力する患者選択画面５３５（図１８（ｄ）参照）を表示装置５３に表示させる。この患者選択画面５３５において、例えば生年月日の検索条件が入力されると、入力された生年月日に対応する患者マスタファイル５５２を検索し、検索された患者マスタファイル５５２から患者データを取得して患者一覧画面５３４を表示装置５３に表示させる。
【００４０】
患者一覧画面５３４において、所望の患者が入力装置５２から指定されると、ＣＰＵ５１は、指定された患者に対応する受付情報ファイル５５１を検索し、検索された受付情報ファイル５５１に格納されている各データを読み出して、指定された患者の薬歴を表示する薬歴画面５３６（図１９参照）を構成し、表示装置５３に表示させる。
【００４１】
メニュー画面５３１において、「医薬品情報」メニューが選択指示された場合、医薬品情報処理（図２０参照）に移行する。ＣＰＵ５１は、医薬品情報処理において、医薬品情報検索メニュー画面５３７（図２１（ａ）参照）を表示装置５３に表示させる。このメニュー画面５３７では、医薬品に添付されている添付文書を表示する「添付文書」メニュー、医薬品の組み合わせによる相互作用の文書を検索する「相互作用検索」メニュー、医薬品による副作用の文書を検索する「副作用検索」メニューを選択可能に表示させる。
【００４２】
医薬品情報検索メニュー画面５３７において、「添付文書」メニューが選択指示された場合、ＣＰＵ５１は、薬品選択画面５３３を表示装置５３に表示させる。薬品選択画面５３３で、添付文書を表示する薬品が入力装置５２から選択指示されると、選択された薬品に対応する文書マスタファイル５５３を検索し、検索された文書マスタファイル５５３から用法文書のテキストデータを取得する。そして、取得した用法文書のテキストデータに基づいて添付文書画面５３８（図２１（ｂ）参照）を構成し、表示装置５３に表示させる。
【００４３】
医薬品情報検索メニュー画面５３７において、「相互作用検索」メニューが選択指示された場合、ＣＰＵ５１は、薬品選択画面５３３を表示装置５３に表示させる。薬品選択画面５３３で相互作用を検索する薬品が選択されると、その選択された薬品名を表示する選択結果表示画面５３９（図２１（ｃ）参照）を表示装置５３に表示させ、さらに薬品を選択する場合は、再度薬品選択画面５３３を表示させる。
【００４４】
複数の薬品が選択され、選択終了の指示が入力装置５２から入力されると、ＣＰＵ５１は、選択された薬品のうち、２つづつを薬品１と薬品２として組み合わせ、その組み合わせに該当する相互作用マスタファイル５５６を検索する。何れかの組み合わせに該当する相互作用マスタファイル５５６が検索された場合、検索された相互作用マスタファイル５５６に格納されているデータに基づいて相互作用に関する情報を表示する相互作用表示画面５４０（図２１（ｄ）参照）を構成し、表示装置５３に表示させる。
【００４５】
相互作用表示画面５４０において、さらに相互作用に関する詳細な情報を表示するよう指示されると、相互作用に関する警告メッセージ等を表示する詳細画面５４１（図２２（ａ）参照）を表示装置５３に表示させる。
【００４６】
医薬品情報検索メニュー画面５３７において、「副作用検索」メニューが選択指示された場合、ＣＰＵ５１は、副作用検索メニュー画面５４３（図２２（ｂ）参照）を表示装置５３に表示させる。副作用検索メニュー画面５４３では、医薬品による副作用及びその副作用による症状を検索する「副作用と症状検索」メニュー、医薬品による副作用が発生する頻度を比較する「副作用頻度比較」メニューを選択可能に表示させる。
【００４７】
副作用検索メニュー画面５４３において、「副作用と症状検索」メニューが選択指示された場合、ＣＰＵ５１は、薬品選択画面５３３を表示装置５３に表示させる。薬品選択画面５３３で副作用を検索する薬品が選択されると、選択された薬品に対応する副作用マスタファイル５５８を検索する。そして、検索された副作用マスタファイル５５８に格納されているデータに基づいて、選択された薬品の副作用に関する情報を表示する副作用表示画面５４４（図２２（ｃ）参照）を構成し、表示装置５３に表示させる。
【００４８】
副作用表示画面５４４において、さらに副作用に関する詳細な情報を表示するよう指示された場合、ＣＰＵ５１は、副作用マスタファイル５５８、分類マスタファイル５６０、症状マスタファイル５６１に格納されている各種データを読み出して副作用による症状等の詳細画面５４５（図２２（ｄ）参照）を構成し、表示装置５３に表示させる。
【００４９】
副作用検索メニュー画面５４３において、「副作用頻度比較」メニューが選択指示された場合、ＣＰＵ５１は、薬品選択画面５３３を表示装置５３に表示させる。薬品選択画面５３３において、副作用を検索する薬品が選択されると選択結果画面５４６（図２３（ａ）参照）を表示させ、さらに薬品選択する場合は再度、薬品選択画面５３３を表示させる。薬品が複数選択され、選択終了が指示されると、選択された薬品に対応する副作用頻度マスタファイル５５９を検索し、検索された副作用頻度マスタファイル５５９に格納されている各データに基づいて、選択された薬品毎に副作用頻度を比較した一覧表を表示する頻度画面５４７（図２３（ｂ）参照）を表示装置５３に表示させる。
【００５０】
入力装置５２は、キーボードを含み、このキーボードで押下されたキーに対応する押下信号をＣＰＵ５１に出力する。入力装置５２は、例えば薬歴処理において表示装置５３に表示された患者一覧画面５３４で、患者を指定する指定キーを有する。また、入力装置５２は、操作者のパスワードを入力するキーを備える。なお、入力装置５２は、必要に応じてマウス、タッチパネル等のポインティングディバイスやその他の入力装置を備えることとしてもよい。
【００５１】
表示装置５３は、ＬＣＤ等による表示ディスプレイを備え、薬歴データ、各種操作メニュー画面等、ＣＰＵ５１により表示指示された表示データを表示出力する。なお、他の出力手段として、薬歴データを印刷出力するプリンタ等を備えることとしてもよい。
【００５２】
通信装置５４は、ネットワーク上の外部機器と通信を行うためのネットワークインターフェイスカード、モデム又はターミナルアダプタ等により構成される。通信装置５４は、調剤薬局装置１０と無線通信を確立し、調剤薬局装置１０から各患者の薬歴データを受信する。なお、本実施の形態では、調剤薬局装置１０と無線通信とするが、有線接続であってもよい。
【００５３】
ＲＡＭ５５は、ワークエリアを形成するとともに、受付情報ファイル５５１、患者マスタファイル５５２、文書マスタファイル５５３、医師マスタファイル５５４、薬品マスタファイル５５５、相互作用マスタファイル５５６、相互作用文書マスタファイル５５７、副作用マスタファイル５５８、副作用頻度マスタファイル５５９、分類マスタファイル５６０、症状マスタファイル５６１を内部に格納し、これら各ファイル５５１〜５６１に、調剤薬局装置１０から送信された各項目の薬歴データを格納する。なお、各ファイル５５１〜５６１のデータ構成は、調剤薬局装置１０が備える各ファイル１６１〜１７１と同一であるので、データ構成を示す図は、図２〜図１２で示した各ファイル１６１〜１７１と同一とし、その詳細な説明を省略する。また、ファイル５５１〜５６１が格納するデータの項目は、各ファイル１６１〜１７１において特定フラグが「１」に設定されている特定項目のデータを記憶することとする。
【００５４】
記憶装置５６は、図示しない記憶媒体を有し、この記憶媒体に、ＰＤＡ５０のシステムプログラム、当該システムプログラムに該当するダウンロード処理プログラム、薬歴データ出力処理プログラム、薬歴処理プログラム、医薬品情報処理プログラム等の各種処理プログラム、当該各種処理プログラムで処理されたデータ等を記憶している。この記憶媒体は、磁気的、光学的、若しくは半導体メモリで構成され、記憶装置５６に固定的に設けられるもの、若しくは着脱自在に装着するものである。
【００５５】
記憶媒体に記憶するプログラム、データ等は、その一部又は全部をサーバやクライアント等の他の機器からＷＡＮ、ＬＡＮ等のネットワーク回線の伝送媒体を介して通信装置５４から受信して記憶する構成にしてもよいし、記憶媒体はネットワーク上に構築された外部機器の記憶媒体であってもよい。また、前記プログラムをネットワーク回線等の伝送媒体を介してサーバやクライアントへ伝送してこれらの機器にインストールするように構成してもよい。
【００５６】
次に、本実施の形態の動作を説明する。
後述する各フローチャートに記述されている各機能を実現するためのプログラムはコンピュータが読み取り可能なプログラムコードの形態で調剤薬局装置１０の記憶装置１６、ＰＤＡ５０の記憶装置５６に格納されており、調剤薬局装置１０のＣＰＵ１１、ＰＤＡ５０のＣＰＵ５１は、当該プログラムコードに従った動作を逐次実行する。また、ＣＰＵ１１、ＣＰＵ５１は、伝送媒体を介して伝送される上記プログラムコードに従った動作を逐次実行することも可能である。すなわち、記憶装置１６、５６の他、伝送媒体を介して外部供給されたプログラム又はデータを利用して本実施の形態特有の動作を実行することも可能である。
【００５７】
まず、図１４に示すフローチャートを参照して、調剤薬局装置１０と、ＰＤＡ５０とにより実行される薬歴データのダウンロード処理を説明する。なお、本処理は図示しない所定のメニューを選択し、その中にある複数の下位メニューのいずれかを選択することで実行される。
【００５８】
図１４において、調剤薬局装置１０のＣＰＵ１１は、調剤薬局装置１０からＰＤＡ５０に薬歴データをダウンロードするメニュー、薬歴データを入力するメニュー等の各種操作メニューを選択するための操作メニュー画面を表示装置１３に表示させる（ステップＳ１）。この操作メニュー画面において、薬歴データをダウンロードするメニューが選択されず（ステップＳ２；Ｎ）、他のメニューが選択された場合（ステップＳ３；Ｙ）、そのメニューに応じた処理に移行し（ステップＳ４）、本処理を終了する。
【００５９】
操作メニュー画面で薬歴データをダウンロードするメニューが選択された場合（ステップＳ２；Ｙ）、パスワードを入力するための入力画面を表示装置５３に表示させる。入力装置５２から操作者のパスワードが入力されると（ステップＳ５）、入力されたパスワードにより操作者の認証を行う（ステップＳ６）。パスワードが間違っており、操作者が認証されない場合は、ダウンロードを実行せずに本処理を終了し、正しいパスワードが入力されて操作者が認証された場合は、どの期間の薬歴データをダウンロードするのか、つまりダウンロードする薬歴データの日付範囲を選択する選択画面を表示装置１３に表示させる。
【００６０】
日付範囲が選択されると（ステップＳ７）、選択された範囲内の日付に該当する調剤年月日の受付情報ファイル１６１を薬歴データベース１６ａから検索する。検索された受付情報ファイル１６１から特定フラグが「１」に設定されている特定項目のデータ、つまり調剤年月日、患者ＩＤ、医療コード、薬品コード、分量、剤型コード、用法コード、調剤数量の各データを抽出する（ステップＳ８）。
【００６１】
ＣＰＵ１１は、ダウンロードを実行する指示が入力装置１２から入力されると（ステップＳ９；Ｙ）、抽出した各データを所定の暗号化方式で暗号化する（ステップＳ１０）。そして、暗号化した各データをＰＤＡ５０に送信するよう通信装置１４に指示する（ステップＳ９）。
【００６２】
そして、選択された日付範囲に該当する各マスタファイル１６２〜１７１を検索し、検索されたマスタファイル１６２〜１７１に格納されている全てのデータを暗号化し（ステップＳ１２）、通信装置１４によりＰＤＡ５０に送信させる（ステップＳ１３）。
【００６３】
一方、ＰＤＡ５０のＣＰＵ５１は、薬歴データのダウンロードを待ち受ける指示を入力装置５２から入力されると、ダウンロードを待ち受け（ステップＳ１４）、通信装置５４を介して調剤薬局装置１０からデータを受信したか否かを判別する（ステップＳ１５）。
【００６４】
調剤薬局装置１０から受付情報ファイル５５１に対応するデータを受信すると、受信したデータを復号化し、ＲＡＭ５５の受付情報ファイル５５１に上書きする（ステップＳ１６）。
【００６５】
調剤薬局装置１０から各マスタファイル５５２〜５６１に対応するデータを受信すると、受信したデータのうち、特定フラグが「１」に設定されている特定項目のデータを抽出し（ステップＳ１７）、抽出したデータを所定の復号化方式で復号化する。そして、復号化したデータを、対応するマスタファイル５５２〜５６１に上書きして（ステップＳ１８）、ダウンロード処理を終了する。
【００６６】
次に、薬歴データのダウンロード実行後に、ＰＤＡ５０で実行される薬歴データ処理、薬歴処理、医薬品情報処理について説明する。
【００６７】
まず、図１５を参照して、薬歴データ出力処理を説明する。なお、本処理は図示しない所定のメニューを選択し、その中にある複数の下位メニューのいずれかを選択することで実行される。
図１５において、ＣＰＵ５１は、パスワードを入力するための入力画面を表示装置５３に表示させ（ステップＳ１０１）、この入力画面において入力されたパスワードにより操作者の認証を行う（ステップＳ１０２）。パスワードが間違っており、操作者が認証されない場合は薬歴データ出力処理を終了する。
【００６８】
パスワードが正しく、操作者が認証された場合は、図１６に示すメニュー画面５３１を表示装置５３に表示させ（ステップＳ１０３）、このメニュー画面５３１において、「お持ち帰り薬歴」メニュー、「医薬品情報」メニュー「医薬品安全情報」メニュー、「ツール」メニューを選択可能に表示させる。
【００６９】
メニュー画面５３１において、入力装置５２からメニューの選択指示を入力されると（ステップＳ１０４）、どのメニューが選択されたのかを判別する（ステップＳ１０５）。「お持ち帰り薬歴」メニューを選択された場合は、ステップＳ１０６の薬歴処理に移行し、「医薬品情報」メニューが選択された場合はステップＳ１０７の医薬品情報処理に移行する。薬歴処理、医薬品情報処理を終了すると、薬歴データ出力処理を終了する。
【００７０】
メニュー画面５３１において、「医薬品安全情報」メニューが選択された場合は、通信装置５４により厚生労働省のサーバに接続し、このサーバから最新の医薬品情報を取得する。ＣＰＵ５１は、取得した医薬品情報の各データを薬品マスタファイル５５５に格納するとともに表示装置５３にその医薬品情報を表示させ（ステップＳ１０８）、薬歴データ出力処理を終了する。なお、医薬品安全情報の取得は上記方法に限らず、ＣＤ（Ｃｏｍｐａｃｔ　Ｄｉｓｃ）ドライブ等を備えて、製薬会社から提供された最新の医薬品情報が記録されているＣＤ−ＲＯＭ（ＣＤ−Ｒｅａｄ　Ｏｎｌｙ　Ｍｅｍｏｒｙ）等の記録媒体から取得することとしてもよい。
【００７１】
メニュー画面５３１において、「ツール」メニューが選択された場合は、各種環境設定処理に移行し（ステップＳ１０９）、本処理を終了する。
【００７２】
次に、図１７〜図１９を参照して、薬歴処理を説明する。
図１７において、ＣＰＵ５１は、図１８（ａ）に示すお持ち帰り薬歴メニュー画面５３２を表示させ（ステップＡ１）、このお持ち帰り薬歴メニュー画面５３２において、「生年月日検索」メニュー、「患者カナ名検索」メニュー、「来局検索」メニュー、「医薬品検索」メニューを選択可能に表示する。
【００７３】
お持ち帰りメニュー画面５３２において、入力装置５２から検索メニューが選択指示され（ステップＡ２）、選択された検索メニューが医薬品の情報から患者検索する「医薬品検索」メニューである場合（ステップＡ３；Ｙ）、ＣＰＵ５１は、検索条件の薬品をリスト表示した薬品選択画面５３３（図１８（ｂ）参照）を表示装置５３に表示させる。この薬品選択画面５３３において、検索条件の薬品が入力装置５２から選択指示されると、ＣＰＵ５１は、選択された薬品に対応する受付情報ファイル５５１を検索する（ステップＡ４）。そして、検索された受付情報ファイル５５１の患者ＩＤ５７１ｂを元に患者マスタファイル５５２から患者データを取得し、取得した患者データをリスト表示した患者一覧画面５３４（図１８（ｃ）参照）を構成して表示装置５３に表示させる。（ステップＡ６）。
【００７４】
お持ち帰りメニュー画面５３２において、選択されたメニューが患者の情報から患者検索する「生年月日検索」メニュー、「患者カナ名検索」メニュー、「来局日検索」メニューの何れかであった場合（ステップＡ３；Ｎ）、選択されたメニューに応じた検索条件を入力するための患者選択画面を表示装置５３に表示させる。ここでは「生年月日検索」メニューが選択された場合を例に説明する。
【００７５】
「生年月日検索」メニューが選択された場合、ＣＰＵ５１は、図１８（ｄ）に示す患者選択画面５３５を表示させる。患者選択画面５３５では、検索条件の生年月日を入力する入力領域を設け、この入力領域に生年月日を入力されると、入力された生年月日に対応する患者マスタファイル５５２を検索する（ステップＡ５）。そして、検索された患者マスタファイル５５２から患者データを取得し、取得した患者データをリスト表示した患者一覧画面５３４を表示させる（ステップＡ６）。
【００７６】
患者一覧画面５３４において薬歴データを表示する患者が入力装置５２から選択指示されると（ステップＡ７）、ＣＰＵ５１は、選択された患者に対応する受付情報ファイル５５１を検索し、検索された受付情報ファイル５５１に格納されている各データを取得する。そして、取得したデータに基づいて、選択された患者に対応する一又は複数の服用薬歴（調剤年月日、調剤した医療機関名、患者名、調剤した薬品名、各薬品の分量、薬品の用法、調剤数量等）を表示する薬歴画面５３６（図１９参照）を構成して表示装置５３に表示させ（ステップＡ８）、薬歴情報処理を終了する。
【００７７】
次に、図２０〜図２３を参照して、医薬品情報処理を説明する。
図２０において、ＣＰＵ５１は、図２１（ａ）に示す医薬品情報検索メニュー画面５３７を表示装置５３に表示させ（ステップＢ１）、この医薬品情報検索メニュー画面５３７において、「添付文書」メニュー、「相互作用検索」メニュー、「副作用検索」メニューを選択可能に表示させる。
【００７８】
まず、医薬品情報検索メニュー画面５３７において、入力装置５２から「添付文書」メニューが選択指示された場合（ステップＢ２）を説明する。
ＣＰＵ５１は、薬品選択画面５３３を表示装置５３に表示させる。この薬品選択画面５３３において、検索条件の薬品が選択されると（ステップＢ３）、選択された薬品に対応する医薬品添付文章のテキストデータを、薬品マスタファイル１６５の医薬品添付文章１６５ｋから取得する。を取得する。そして、医薬品の効果、一般注意事項などを含む医薬品添付文章のテキストデータを表示する、図２１（ｂ）に示すような添付文書画面５３８を表示装置５３に表示させる（ステップＢ４）。
【００７９】
次に、医薬品情報メニュー画面５３７において、「相互作用検索」メニューが選択された場合を説明する。
ＣＰＵ５１は、薬品選択画面５３３を表示装置５３に表示させる。この薬品選択画面５３３において、相互作用を検索する薬品が選択されると（ステップＢ５）、図２１（ｃ）に示す選択結果表示画面５３９を表示させ、さらに薬品を選択する指示が入力された場合は再度、薬品選択画面５３３を表示させる。
【００８０】
複数の薬品が選択され、選択結果表示画面５３９において、選択終了が指示されると（ステップＢ６）、ＣＰＵ５１は、選択された薬品のうち、２つづつを薬品１、薬品２として順に組み合わせ、その組み合わせに該当する相互作用マスタファイル５５６を検索する（ステップＢ７）。何れかの組み合わせに該当する相互作用マスタファイル５５６が検索された場合、ＣＰＵ５１は、検索された相互作用マスタファイル５５６に格納されているデータを取得し、取得したデータに基づいて、相互作用する薬品の組み合わせ、その組み合わせに対する危険度を警告レベルとして表示する相互作用表示画面５４０（図２０（ｄ）に示す。）を構成して表示装置５３に表示させる（ステップＢ８）。
【００８１】
例えば、「○○トールＳＲ錠」、「△錠」、「×錠１００」の薬品が選択された場合、「○○トールＳＲ錠−△錠」、「△錠−×錠１００」、「×錠１００−○○トールＳＲ錠」の各薬品の組み合わせができる。ここで、「○○トールＳＲ錠−△錠」の組み合わせに該当する相互作用マスタファイル５５６が検索された場合、薬品１コード５６６ａ、薬品２コード５６６ｂ、危険度５６６ｃのデータを取得し、相互作用する薬品１である「○○トールＳＲ錠」、薬品２である「△錠」の組み合わせで警告レベル（危険度）「０」の相互作用があること表示する相互作用表示画面５４を構成する。
【００８２】
相互作用表示画面５４０において、さらにその相互作用に関する詳細な情報を表示するよう指示されると（ステップＢ９；Ｙ）、ＣＰＵ５１は、図２１（ａ）に示す詳細画面５４１を表示装置５３に表示させる（ステップＢ１０）。この詳細画面５４１においては、相互作用する２つの薬品名を表示し、相互作用マスタファイル５５６の理由コードに基づいて、相互作用に関する警告メッセージを表示させる。
【００８３】
次に、医薬品情報検索メニュー画面５３７において、「副作用検索」メニューが選択された場合を説明する。
ＣＰＵ５１は、図２２（ｂ）に示すような副作用検索メニュー画面５４３を表示装置５３に表示させ（ステップＢ１１）、「副作用と症状検索」メニュー、「副作用頻度比較」メニューのうち、何れかを選択させる。
【００８４】
まず、副作用検索メニュー画面５４３において、「副作用と症状検索」メニューが選択された場合を説明する。
ＣＰＵ５１は、薬品選択画面５３３を表示装置５３に表示させ、この薬品選択画面５３３において、副作用を検索する薬品が選択されると（ステップＢ１２）、選択された薬品に対応する副作用マスタファイル５５８を検索する（ステップＢ１３）。
【００８５】
選択された薬品に対応する副作用マスタファイル５５８が検索された場合、ＣＰＵ５１は、検索された副作用マスタファイル５５８に格納されているデータを取得し、取得したデータに基づいて、選択された薬品の副作用名を表示する副作用表示画面５４４（図２２（ｃ）に示す）を構成して表示装置５３に表示させる（ステップＢ１４）。
【００８６】
副作用表示画面５４４において、さらに副作用に関する詳細な情報を表示するよう指示された場合（ステップＢ１５；Ｙ）、ＣＰＵ５１は、副作用マスタファイル５５８、分類マスタファイル５６０、症状マスタファイル５６１に格納されている各データを取得し、取得したデータに基づいて、医薬品名、その医薬品の副作用の分類名、副作用名、副作用による症状等を表示する詳細画面５４５（図２１（ｄ）に示す。）を構成して表示装置５３に表示させ（ステップＢ１６）、医薬品情報処理を終了する。
【００８７】
次に、副作用検索メニュー画面５４３において、「副作用頻度比較」メニューが選択された場合を説明する。
ＣＰＵ５１は、薬品選択画面５３３を表示装置５３に表示させる（ステップＢ１７）。この薬品選択画面５３３において、副作用を検索する薬品が選択されると（ステップＢ５）、図２３（ａ）に示す選択結果画面５４６を表示させ、さらに薬品を選択する指示が入力された場合は再度、薬品選択画面５３３を表示させる。
【００８８】
複数の薬品が選択され、選択結果画面５４６において、選択終了が指示されると（ステップＢ１８）、ＣＰＵ５１は、選択された薬品に対応する副作用頻度マスタファイル５５９を検索する。そして、検索された副作用頻度マスタファイル５５９に格納されている各データに基づいて、選択された薬品毎に副作用の症状が発生する頻度の比較表を表示する副作用頻度比較画面（図２３（ｂ）に示す。）を構成し、表示装置５３に表示させ（ステップＢ１９）、医薬品情報処理を終了する。
【００８９】
以上のように、調剤薬局装置１０からＰＤＡ５０に所定期間分の薬歴データをダウンロードし、ＰＤＡ５０がダウンロードされた薬歴データのうち、指定された患者の薬歴データを表示出力するので、薬剤師や医師等が、業務時間以外に又は緊急に患者から薬の服用についての問い合わせを受けた場合でも、ＰＤＡ５０により所望の薬歴をすばやくかつ容易に確認することができ、患者に対して適切な服薬指導を行うことができる。
【００９０】
また、ＰＤＡ５０は、相互作用する薬品の組み合わせをデータベース化した相互作用マスタファイル５５６、薬品の副作用をデータベース化した副作用マスタファイル５５８、副作用が発生する頻度をデータベース化した副作用頻度マスタファイル５５９、副作用による症状をデータベース化した症状マスタファイル５６１を備えるので、服薬指導の際に相互作用や副作用に関する情報を容易に検索することができ、より適切な服薬指導が可能となる。
【００９１】
また、薬歴データをダウンロードする際には、調剤薬局装置１０側で薬歴データを暗号化してＰＤＡ５０に送信するとともに、薬歴データをダウンロードする際や、ＰＤＡ５０で薬歴データを表示する際には、操作者の認証を行う。従って、薬歴データに含まれる患者データや、患者が服薬している薬に関するデータ等の個人のプライバシーに関わるデータの外部への漏洩を防ぐことができ、ＰＤＡ５０のセキュリティを確保することができる。
【００９２】
また、ＰＤＡ５０において、調剤薬局装置１０から受信した薬歴データのうち、特定項目のデータを抽出するので、必要な項目の薬歴データのみを記憶することができる。
【００９３】
なお、本実施の形態における記述内容は、本発明の薬歴データ処理装置を適用したＰＤＡ５０の好適な一例であり、これに限定されるものではない。
【００９４】
例えば、薬剤師がＰＤＡ５０に表示された患者の薬歴データを参照して、患者に対する服薬指導等を行った後、その服薬指導内容や患者に関する新たな情報をＰＤＡ５０に入力可能とし、ＰＤＡ５０が入力された新たな情報のデータを調剤薬局装置１０にアップロードすることとしてもよい。これにより、調剤薬局装置１０で管理している薬歴データは常に最新の情報に更新される。
【００９５】
また、上述したダウンロード処理では、受付情報ファイル５５１の特定フラグが「１」に設定されている特定項目のデータは調剤薬局装置１０側で抽出し、他のマスタファイル５５２〜５６１の特定項目データはＰＤＡ５０側で抽出することとして説明したが、これに限らず、各ファイル５５１〜５６１の全ての項目データをＰＤＡ５０にダウンロードし、ＰＤＡ側で各ファイルにおける特定項目のデータを抽出して記憶することとしてもよい。また、調剤薬局装置１０側で予め全てのファイル５５１〜５６１における特定項目のデータを抽出し、抽出したデータをＰＤＡ５０にダウンロードすることとしてもよい。
【００９６】
その他、本実施の形態におけるＰＤＡ５０の細部構成及び細部動作に関しても、本発明の趣旨を逸脱することのない範囲で適宜変更可能である。
【００９７】
【発明の効果】
請求項１に記載の発明によれば、薬歴データ処理装置が、薬歴データ管理装置から受信した薬歴データを患者毎に記憶し、患者が指定されるとその患者に対応する薬歴データを取得して出力するので、薬剤師等の操作者は、所望の患者の薬歴データをすばやくかつ容易に確認することができ、患者に対して適切な服薬指導を行うことが可能となる。
【図面の簡単な説明】
【図１】調剤薬局装置１０の機能的構成を示すブロック図である。
【図２】受付情報ファイル１６１のデータ格納例を示す図である。
【図３】患者マスタファイル１６２のデータ格納例を示す図である。
【図４】文書マスタファイル１６３のデータ格納例を示す図である。
【図５】医師マスタファイル１６４のデータ格納例を示す図である。
【図６】薬品マスタファイル１６５のデータ格納例を示す図である。
【図７】相互作用マスタファイル１６６のデータ格納例を示す図である。
【図８】相互作用文書マスタファイル１６７のデータ格納例を示す図である。
【図９】副作用マスタファイル１６８のデータ格納例を示す図である。
【図１０】副作用頻度マスタファイル１６９のデータ格納例を示す図である。
【図１１】分類マスタファイル１７０のデータ格納例を示す図である。
【図１２】症状マスタファイル１７１のデータ格納例を示す図である。
【図１３】本発明を適用した実施の形態におけるＰＤＡ５０の機能的構成を示すブロック図である。
【図１４】調剤薬局装置１０と、ＰＤＡ５０とで実行される薬歴データのダウンロード処理を説明するフローチャートである。
【図１５】ＰＤＡ５０のＣＰＵ５１により実行される薬歴データ出力処理を説明するフローチャートである。
【図１６】薬歴データ出力処理で表示されるメニュー画面５３１を示す図である。
【図１７】薬歴データ出力処理において実行される薬歴処理を説明するフローチャートである。
【図１８】薬歴処理で表示される表示画面を示す図であり、（ａ）は持ち帰り薬歴メニュー画面５３２を示し、（ｂ）は薬品選択画面５３３を示し、（ｃ）は患者一覧画面５３４を示し、（ｄ）は患者選択画面５３５を示す。
【図１９】薬歴処理で表示される薬歴画面５３６を示す図である。
【図２０】薬歴データ出力処理において実行される医薬品情報処理を説明するフローチャートである。
【図２１】医薬品情報処理で表示される表示画面を示す図であり、（ａ）は医薬品情報メニュー画面５３７を示し、（ｂ）は添付文書画面５３８を示し、（ｃ）は選択結果表示画面５３９を示し、（ｄ）は相互作用表示画面５４０を示す。
【図２２】医薬品情報処理で表示される表示画面を示す図であり、（ａ）は相互作用の詳細画面５４１を示し、（ｂ）は副作用検索メニュー画面５４３を示し、（ｃ）は副作用表示画面５４４を示し、（ｄ）は副作用の詳細画面５４５を示す。
【図２３】医薬品情報処理で表示される表示画面を示す図であり、（ａ）は選択結果画面５４６を示し、（ｂ）は頻度画面５４７を示す。
【符号の説明】
１０　　調剤薬局装置
１１　　ＣＰＵ
１２　　入力装置
１３　　表示装置
１４　　通信装置
１５　　ＲＡＭ
１６　　記憶装置
１６ａ　　薬歴データベース
５０　　ＰＤＡ
５１　　ＣＰＵ
５２　　入力装置
５３　　表示装置
５４　　通信装置
５５　　ＲＡＭ
５５１　　受付情報ファイル
５５２　　患者マスタファイル
５５３　　文書マスタファイル
５５４　　医師マスタファイル
５５５　　薬品マスタファイル
５５６　　相互作用マスタファイル
５５７　　相互作用文書マスタファイル
５５８　　副作用マスタファイル
５５９　　副作用頻度マスタファイル
５６０　　分類マスタファイル
５６１　　症状マスタファイル
５６　　記憶装置
【図１】
2004139423.tif 000003
【図２】
2004139423.tif 000004
【図３】
2004139423.tif 000005
【図４】
2004139423.tif 000006
【図５】
2004139423.tif 000007
【図６】
2004139423.tif 000008
【図７】
2004139423.tif 000009
【図８】
2004139423.tif 000010
【図９】
2004139423.tif 000011
【図１０】
2004139423.tif 000012
【図１１】
2004139423.tif 000013
【図１２】
2004139423.tif 000014
【図１３】
2004139423.tif 000015
【図１４】
2004139423.tif 000016
【図１５】
2004139423.tif 000017
【図１６】
2004139423.tif 000018
【図１７】
2004139423.tif 000019
【図１８】
2004139423.tif 000020
【図１９】
2004139423.tif 000021
【図２０】
2004139423.tif 000022
【図２１】
2004139423.tif 000023
【図２２】
2004139423.tif 000024
【図２３】
2004139423.tif 000025